(57)【要約】      （修正有）【課題】鹿，熊，狐，アライ熊等に依る食害事故，車両の衝突事故防止のため、林野や牧草地周辺，鉄道また高速道路沿線等に設置する獣害防止柵を提供する。【解決手段】側面の所定位置に透孔を多段に穿設した支柱５ならびに相対する側面の所定位置にＵ字環１１を多段に突設かつ補強支柱８，９で補強された左右両端支柱６，７を地中に埋込む。濃縮した辛味成分の化合物を混入させて成る大口径波付パイプ、内や小口径波付パイプ２内および各支柱側面の各段の透孔に、左右両端末にループをしつらえたワイヤーロープを挿通してから、ワイヤーロープの左右両端末ループと左右両端支柱のＵ字環とをそれぞれ連結金具で掛止する。大口径波付パイプおよび小口径波付パイプを支柱の所定位置に、緊張状態に固定する。【選択図】図１
0003172780.tif 000002
【実用新案登録請求の範囲】
【請求項１】
側面の所定位置に透孔を多段に穿設した支柱ならびに相対する側面の所定位置にＵ字環を多段に突設かつ補強支柱で補強された左右両端支柱を地中に埋込み、直立状態で地面上に多数設置し、濃縮した辛味成分の化合物を混入させ回動可能な大口径波付パィプ内や小口径波付パィプ内、おょび、各支柱側面の各段の透孔にワィヤ−ロ−プを交互に挿通する作業手順を幾度も繰返してから、予めワィヤ−ロプ左右両端末にしつらえたル−プと両端支柱のＵ字環とをそれぞれ連結金具で掛止し仮設してから、大口径波付パィプを多段かつ水平状態で支柱上部、ならびに小口径波付パィプを多段かつ水平状態で支柱下部の位置にそれぞれ索支して、緊張状態に固定して構成されたことを特徴とする獣害防止柵。
【請求項２】
上記大小口径波付パィプが、波底に多数の排水孔を有する請求項１の獣害防止柵。
【考案の詳細な説明】
【考案の詳細な説明】
【産業上の利用分野】
【０００１】  本考案は、鹿，熊，狐，アライ熊等に依る食害事故，車両の衝突事故防止のため、原生林や農牧地周辺，鉄道また高速道路沿線等に設置する獣害防止柵に関するものである。
【背景技術】
【０００２】  従来の具体的対策は、獣害の防止柵として、地上に支柱を多数設置させ、支柱に金網状あるいは合繊ネット状または多段の剛性の棒状から成る遮断体を張設して成る獣害防止柵で、害獣の侵入を物理的かつ強制的に防止また一部地区では、電気ショックによる防止を期待する電気柵が採用されている現況である。
【考案が解決しょうとする課題】
【０００３】  上記従来の防止柵には、次の様な欠点があった。
鹿，熊等の大型の害獣は防止柵を破損もしくは柵を飛越えや乗越えて侵入、また狐，アライ熊等の小型の害獣は柵を破損出来ない場合は、柵の下の地面を掘って潜り込み侵入することが多い。
これら害獣による被害は、減少するどころか増加する一方である。
具体例として、北海道の場合は近年特に蝦夷鹿の増頭傾向が著しく、現在、野生推定頭数は６０万頭以上にものぼっていると云われている。
蝦夷鹿急増の原因は幾つも考えられるが、天敵生物である狼の絶滅，原生林の農牧地えの開拓、冬季の温暖化に伴う積雪量の激減に依る四季通じての移動範囲の拡大等の要因が、蝦夷鹿の索餌活動を活発化させ、遂には道東地区を中心に爆発的な繁殖を促進させることになったのである。
このことは、蝦夷鹿急増に起因する原生林や植林等の樹木の樹皮や幼木の葉枝の食害が多発し、森や農牧地を荒廃させ、当然あるべき自然の姿を急速に変えてしまつた。
また近年の地球温暖化に伴う天候不順が続き、四季通じて原生林に植生する植物類が十分では無く、羆等は人里にまで出没するようになり、農作物や家畜の被害のみならず、人身事故発生にまで及んでいる現状である。
現状での害獣の繁殖を防止する唯一の効果ある方法として、電気柵があるが電源確保の為の高額な設置費おょび電気代等の維持費さらに漏電等トラブル発生等が普及のネックとなっている。
鉄道や高速道路沿線等に於いても、年々衝突事故が増加しており、この傾向は特に大型害獣が多い状況である。
したがって、北海道の害獣に依る被害額は、年々激増しており、北海道庁調査資料にでは、平成２１年現在、牧草を主体として年間約５１億円にものぼっており、関係者はその対策に苦慮している現況である。
【課題を解決するための手段】
【０００４】  下部を地中に埋込み地面上に支柱を立設させ、一方回動可能な複数の大口径波付パィプおょび小口径波付パィプ内にワィヤ−ロ−プを挿通させてから、ワィヤ−ロ−プの左右両端末のル−プをそれぞれ支柱上部おょび下部に多段に穿設した透孔にワィヤ−ロ−プを挿通して索支すると共に、ワィヤ−ロ−プの両端末のル−プを連結金具等で両端支柱の所定の位置で掛止し架設した後、連結金具等を調整して緊張固定するものである。
本考案は、以上の様な構成から成る獣害防止柵である。
【作用】
【０００５】  大口径波付パィプおょび小口径波付パィプは、原則として前者は支柱の上部後者は下部に用途が区分され、多段に縦列かつ水平状態に配置されて使用されるものである。
上記二種類のパィプは何れもブラックカ−ボンと唐辛子の激辛の成分が混入しているプラスチックス素材から形成され、挿通したワィヤ−ロ−プはパィプの内面最上部の位置に内接し、この位置を支点として、回動可能な大口径波付パィプ，小口径波付パィプをそれぞれ支柱の上部おょび支柱の下部に多段かつ縦列に設けたことである。
期待される効果としては、まず上記混入の激辛成分が、常時付近の空気中に発散されているので、嗅覚の鋭い害獣が本考案獣害防止柵えの接近が巧まずして阻止する効果、さらに接近し万一接触や鋭い爪先等で引っ掻いたとしても新たにパィプ内部に混入されている激辛成分が発散されることになるので、駆除効果が拡大することになるのである。
さらに拡散する痒みと痛み等を無視した小型害獣の狐，アライ熊等がいたとしても、柵を乗り越えるため伸び上がっても、身長が短いので、支柱の下部に多段に位置する複数の小口径波付パィプの回動で対応することが出来、また大型害獣の鹿，熊等の場合は、主として支柱の上部に多段に位置する複数の大口径波付パィプおょび下部の小口径波付パィプに、それぞれ前足おょび後足が加わることになり、それぞれ独自に回動することで対応することになる。
【実施例】
【０００６】  本考案を図示の実施例に依り説明する。
本考案の一実施例として、図１に示す様に、まず高さほぼ４〜５ｍ程度の多数の支柱５を予め設計通り決められた間隔で、地中１４に支柱下部５ａおょび補強支柱８，９が付設し補強された左右端支柱６，７の下部６ａ，７ａならびに補強支柱下部８ａ，９ａ等が埋込まれ立設される。
Ｈ形鋼やパィプ材等の加工部材から成る支柱５には、予め所定位置に縦列に穿設された多数の透孔１０が穿設してあり、また左右端支柱６，７の相対する側面の所定位置に縦列にＵ字環１１を突設させたもので、腐食防止用ドブ付けメッキ処理加工されて成るものである。
当然、他の部材のワィヤ−ロ−プ４も耐腐食性おょび耐候性に優れたステンレスワィヤ−ロ−プであることが肝要である。
ワィヤ−ロ−プ４の左右両端末にそれぞれしつらえたル−プ４ａ，４ｂを掛止するタンバックル等の連結金具１２も同様ステンレス素材やドブ付けメッキ処理加工されて成るものであることは当然である。
大口径波付パィプ１，小口径波付パィプ２は、図４，５の如く、通常耐候性に優れたブラックカ−ボンを混入した黒色のプラスチックス素材から成り、しかも波付パィプと云われる構造のものであって、製造工程上、螺旋状の波付も本考案を構成る要素として含まれるものであるが、具体的には通常のパィプの外面に凹状の波底１ｂ，２ｂと凸状の波頂１ｃ，２ｃが交互に配置された構造のものであるが、本考案に使用するパィプ１，２には、押出し成型加工時に忌避剤カプサイシン〔化学式：Ｃ１８Ｈ２７Ｎ０３〕と称する唐辛子由来の辛味成分を濃縮した化合物として混入させたものである。
大口径波付パィプ１おょび小口径波付パィプ２は、図２，３で示す様に、原則として前者は支柱５おょび左右端支柱６，７の上部、後者は同じく下部に用途がそれぞれ区分され使用されるもので、直径１００〜１５０ｍｍ，長さ１〜４ｍ程度の複数本の大口径波付パィプ１内おょび直径５０〜８０ｍｍ，長さ１〜４ｍ程度本の複数の小口径波付パィプ２内にそれぞれ直径５〜８ｍｍ程度のワィヤ−ロ−プ４を挿通させながら、まず大口径波付パィプ１に挿通したワィヤ−ロ−プ４は左右端支柱６，７の上部に位置するＵ字環１１と左右端末のル−プ４ａ，４ｂ、また小口径波付パィプ２を挿通したとワィヤ−ロ−プ４は左右端支柱６，７の下部に位置するＵ字環１１とに左右端末のル−プ４ａ，４ｂの何れかとをそれぞれタンバックル等の連結金具１２で掛止し仮設する。
それぞれ設定され設置する距離おょび間隔から、支柱５の所要本数が決まり、かつその単位長さから決まって来る所要本数のパィプ１，２をワィヤ−ロ−プ４に挿通してから、そのワィヤ−ロ−プ４を隣接おょび次に隣接する支柱５の上部おょび下部の所定位置の透孔１０内に順次挿通して行く。
以上の作業を繰返し、最終段階は図３の如く、各段に仮設したワィヤ−ロ−プ４の左右端末のル−プ４ａ，４ｂと左右端支柱６，７の所定位置の突設のＵ字環１１とをタンバックル等の連結金具１２の左右フック１２ｂで掛止し、タンバックル等連結金具１２のフック１２ｂを縮小する方向に雌螺旋部１２ａを回転させことで、ワィヤ−ロ−プ４は次第に緊張状態を強めて行くので、図３に示す様に、それぞれ各段ワィヤ−ロ−プ４の張力具合おょび各段ワィヤ−ロ−プ４にその内面１ａもしくは２ａに索支される大口径波付パィプ１おょび小口径波付パィプ２の前後えの回動状態を確認しながら、係止し固定するものである。
広大な柵Ａが必要とされる現場の場合つまり農牧地の様な設置条件に恵まれた平坦な場所の場合は、設置する支柱５の数が増加するが、ワィヤ−ロ−プ４の長尺化つまり一本化をもたらすことになるので、ワィヤ−ロ−プ４の絶対本数も激減するから、当然左右両端末のル−プ４ａ，４ｂの端末加工処理量が大幅に減少することになる。
作業量が大幅に減少させることが可能となると云うことは、本考案柵Ａの構成が合理的であるからなので、特に作業環境が厳しい場所に於いては、経済面での優位性は揺るぎないものになるのである。
上記効果は、設置時だけに限らず、経年後に於けるワィヤ−ロ−プ４の伸び発生に伴う全体的な微調整、特に冬期の過大な積雪の影響がある雪国にあっては、長尺化に依る使用するワィヤ−ロ−プ４の絶対本数が少ないから、当然調整に要する作業時間が自ずから激減するので、経済的優位性は絶対的に揺るぎないことになるものである。
なお設置場所が著しく悪い場所等、例えば急峻な個所や凹凸が激しい地盤等の個所での設置作業に於ては、本考案柵Ａの他の実施例として、幅が極端に短尺の害獣侵入防止柵Ａが要求されることが多くなることも予測されるので、この様な地盤の場合は必然的に支柱５おょび左右端支柱６，７の間隔が極端に狭くなるから、作業効率が低下することになるが、ワィヤ−ロ−プ４も自ずから短尺を選択せざるを得ないことになる。
しかもこの場合の対応として、柵Ａの設置方法を次の様に変えて、対応することも考えられる。
すなわち両側の所定の位置に、透孔１０に変えて、多段に突設した支柱５おょび左右端支柱６，７のＵ字環１１と定尺のワィヤ−ロ−プ４の両端末にしつらえたル−プ４ａ，４ｂとをそれぞれタンバックル等連結金具類１２のフック１２ｂで掛止し、フック１２ｂを縮小する方向に雌螺旋部１２ａを回転させることで、連結個所が緊張し強固になるから、大小口径波付パィプ１，２を多段かつ水平状態で、支柱５おょび左右端支柱６，７上部ならびに支柱５おょび左右端支柱６，７下部の所定位置にそれぞれ索支し固定することになる。
更に経年後に於ける風雨雪等に依り、自然に付加累積される荷重の増大が危惧されるおそれが著しく、本考案柵Ａを破損させる確立が高い場合は、図５に示す様な、水滴の自然排水が可能な波底１ｂ，２ｂに多数の排水孔１ｃ，２ｃを有するブラックカ−ボンの混入した黒色の有孔波付パィプ１，２を本考案柵Ａの部材として使用することで、パィプ１，２上に堆積した積雪が日中の太陽熱等の集熱効果で容易に解け易く、また降雨に依るパィプ内えの溜水も合理的に自然排水する構造であるので、本考案柵Ａが、苛酷な自然環境に巧みに対応することが容易かつ可能ならしめることが出来るのである。
なお、支柱５おょび左右端支柱６，７に縦列に穿設された多数の透孔１０は所定の間隔であって、おおむね支柱５おょび左右端支柱６，７上部は大口径波付パィプ１に合致し間隔は広く、支柱５おょび６，７下部は小口径波付パィプ２に比例して狭くなっているのである。
対象となる害獣の種類や被害の多寡，経済性等観点から、構造の簡略化が強く要求される場合は、上述の様に本考案柵Ａの構造が、パィプ使用で固定化したものではなく、柵Ａの上部と下部との構造が基本的には、分離した状態の構造であるので、図６の様に、下部のみを変えて、筋ロ−プ３ａで補強した唐辛子等の激辛の成分を混入素材の合繊ネット３に変更し、云わば「パィプ＋合繊ネット」方式として使用することも本考案柵Ａでは容易かつ可能である。
本考案に於いての水平状態に張設されるワィヤ−ロ−プ４は、物理的，経済的の両面で甚だ伸びの少ないワィヤ−ロ−プ４を使用するものであるが、ワィヤ−ロ−プ４の腐食おょび挿通した波付パィプ１，２の内面１ａ，２ａとの摩擦等に依るパィプ１，２の内面１ａ，２ａの摩耗損傷等の事故発生の心配がある場合は、これらの対策としては、水産業のトロ−ル漁で使用されているワィヤ−ロ−プ４の外側に合繊素材を被覆加工して成るコンパンドロ−プもしくはコンビネションロ−プの採用も可能である。
【発明の効果】
【０００７】  プラスチックス素材から形成される大口径波付パィプならびに小口径波付パィプを採用し期待される効果としては、最終的には、小型害獣の狐，アライ熊等は伸び上がっても身長が短いので、下部に位置する複数の小口径波付パィプの回動で対応、また、大型害獣の鹿，熊等の場合は主に上部に位置する複数の大口径波付パィプの回動で対応することになるが、何れの場合も、まず最初にパィプに混入してある激辛の成分が付近の空気中に徐々に発散されているので、嗅覚の甚だ敏感な害獣が異臭と感じ、本能的に本考案獣害防止柵を危険な存在であることを察知して、接近しなくなってしまうのである。
敢えて上記大小害獣の何れかが、本考案獣害防止柵に接触もしくは乗り越えようと前後足の鋭い爪先を引っ掛け、パィプに爪傷を残した場合は、パィプの傷痕から激辛の成分が一層濃厚な刺激になって、害獣を襲うことになるばかりか、前後足の爪先に集中する体重の負荷で上下の大小のパィプがそれぞれ手前に簡単に回動するので、害獣は伸び切った身体を支え切れず、転落に至らしめることになって、到底柵を乗り越えることがなくなるのである。
更に害獣が柵のパィプに噛付く可能性が大きく、噛付いた場合は、激辛の成分が刺激となって、痒みと痛みを誘発し、痛覚は動物共通の危険を知らせる大切な感覚であると共に、害敵え与える学習効果も期待出来るのでものであって、単に一時の刺激として慣れることなく、柵に使用したパィプを絶対的に危険なものとして認識させることになるものである。
特に対象が大型害獣の蝦夷鹿等偶蹄類に属する鹿は草食性であり、他の大型害獣熊等が雑食性であるから、食害の対象になり易く、捕食と云う危険を避けるため走りが非常に速くなる体形になっている。
したがって四つ足の爪の部分が硬い蹄となっているから、例え跳躍しょうとしても蹄先が、ほぼ水平状態かつ容易に回動可能に設置されたパィプの上面付近に僅かに接触するだけで、前後四つ足の蹄自体が著しく滑り易い上に、同時に蹄が接触した上下パィプも弾み、急激に手前え回動し、柵を乗り越えようとした鹿は転落状態で地面に激しく転落してしまう効果を甚だ発揮することになるものである。
また同様大型害獣の熊にあっては、鹿と異なり四足の何れにも爪があり、しかも爪先が鋭く、したがって、パィプえの接触しかたに依っては、設置されたパィプを損傷せしめる恐れがあるが、パィプの傷は深い傷痕にならざるを得ず、それ故、混入されている激辛な成分が濃厚な刺激となり、鹿の場合に比較して、幾倍もの嗅覚に依る忌避効果をもたらすことになるものである。
また、パィプ外側に連続した凸状に設けてある波頂が補強の役割を果たすことなって、耐圧性，耐衝撃性が期待出来るものである。
降雨，降雪特に積雪地帯である北海道等の北国にあっては、水滴の自然排水が可能な波底に多数の透孔を有する波付パィプを組入れ使用することも、本発明柵が自然環境に巧みに対応する部材構造と言えるものであり、一つの重要な選択要素でもある。
【図面の簡単な説明】
【図１】  本考案獣害防止柵の一部切欠正面図
【図２】  本考案の上部の一部のＡ−Ａ’拡大縦断面図
【図３】  本考案に使用する連結金具類の一部切欠拡大縦断面図
【図４】  本考案に使用する波付パィプの一部切欠拡大縦断面図
【図５】  本考案に使用する波底に排水孔を有する波付パィプの一部切欠拡大縦断面図
【図６】  本考案の他の実施例を示す獣害防止柵の一部切欠正面図
【符号の説明】１．            大口径波付パィプ
１ａ．          大口径波付パィプの内面
１ｂ．          大口径波付パィプの波底
１ｃ．          大口径波付パィプの波頂
１ｄ．          大口径波付パィプの排水孔
２．            小口径波付パィプ
２ａ．          小口径波付パィプの内面
２ｂ．          小口径波付パィプの波底
２ｃ．          小口径波付パィプの波頂
２ｄ．          小口径波付パィプの排水孔
３．            合繊ネット
３ａ．          合繊ネットの筋ロ−プ
４．            ワィヤ−ロ−プ
４ａ．４ｂ．    ワィヤ−ロ−プ左右端末の環
５．            支柱
５ａ．          支柱下部
６．７．        左右端支柱
６ａ．７ａ．    左右端支柱下部
８．９．        左右補強支柱
８ａ．９ａ．    左右補強支柱下部
１０．          支柱の透孔
１１．          Ｕ字環
１２．          連結金具類
１２ａ．        連結金具類の雌螺旋部
１２ｂ．        連結金具類の左右フック
１３．          地面
１４．          地中
Ａ．            獣害防止柵
【図１】
0003172780.tif 000003
【図２】
0003172780.tif 000004
【図３】
0003172780.tif 000005
【図４】
0003172780.tif 000006
【図５】
0003172780.tif 000007
【図６】
0003172780.tif 000008
【手続補正書】
【提出日】平成23年10月11日(2011.10.11)
【手続補正１】
【補正対象書類名】実用新案登録請求の範囲
【補正対象項目名】全文
【補正方法】変更
【補正の内容】
【実用新案登録請求の範囲】
【請求項１】
側面の所定位置に透孔を多段に穿設した支柱ならびに相対する側面の所定位置にＵ字環を多段に突設かつ補強支柱で補強された左右両端支柱を地中に埋込むことで、支柱および左右両端支柱を直立状態で所定の地面上に設置すると共に、濃縮した辛味成分の化合物を混入させて成る大口径波付パイプ内や小口径波付パイプ内および各支柱側面の各段の透孔に左右両端末にル−プをしつらえたワイヤ−ロ−プを挿通してから、ワイヤ−ロ−プの左右両端末ル−プと左右両端支柱のＵ字環とをそれぞれ連結金具で掛止することで仮設すると共に、それぞれのパイプに内接状態のワイヤ−ロ−プを回動軸として回動可能な大口径波付パイプおよび小口径波付パイプを支柱の所定位置に索支して、緊張状態に固定して構成されたことを特徴とする獣害防止柵。
【請求項２】
上記大小口径波付パイプが、波底に多数の排水孔を有する請求項１の獣害防止柵。